(57)【要約】【課題】簡単に設置することができ、かつ、運転者等に、安全に高い注意を促すことができる道路標識を提供する。【解決手段】道路標識１０は、内部に収納空間１１Ａが設けられた収納体１１と、収納空間１１Ａに配設され、袋状体よりなる標識本体１２と、収納空間１１Ａに配設され、標識本体１２の内部に空気を入れる送風機などの送風手段１３とを備えている。標識本体１２は、布状部材又はシート状部材により形成されており、折り畳むことにより収納空間１１Ａに収納可能とされている。【選択図】図１
0003212038.tif 000002
【実用新案登録請求の範囲】
【請求項１】
内部に収納空間が設けられた収納体と、
前記収納空間に配設され、布状部材又はシート状部材により形成された袋状体よりなり、前記収納空間に収納可能とされた標識本体と、
前記収納空間に配設され、前記標識本体の内部に空気を入れる送風手段と
を備えたことを特徴とする道路標識。
【請求項２】
前記収納空間に配設され、前記標識本体の内部に光を照射する照明器具を備えたことを特徴とする請求項１記載の道路標識。
【請求項３】
前記標識本体は、人をかたどり形成されていることを特徴とする請求項１又は請求項２記載の道路標識。
【考案の詳細な説明】
【技術分野】
【０００１】
本考案は、道路に設置し、車線規制や車線変更の誘導等をするための道路標識に関する。
【背景技術】
【０００２】
道路で工事を行う場合、工事区間の手前に、減速と記載した旗を持った監視員や工事中という看板を配置し、工事区間に向かって走行してくる車両に対して車線規制を行ったり、車線変更の誘導等を行っている（例えば、特許文献１参照）。しかし、監視員を配置する場合には危険を伴うという問題があり、また、看板は、簡単なものであると監視員に比べて運転者に注意を促す効果が小さく、大掛かりなものであると注意を促す効果は高いが設置が大変であるという問題があった。
【先行技術文献】
【特許文献】
【０００３】
【特許文献１】特開２０００−１３３００４号公報
【考案の概要】
【考案が解決しようとする課題】
【０００４】
本考案は、このような問題に基づきなされたものであり、簡単に設置することができ、かつ、運転者等に、安全に高い注意を促すことができる道路標識を提供することを目的とする。
【課題を解決するための手段】
【０００５】
本考案の道路標識は、内部に収納空間が設けられた収納体と、収納空間に配設され、布状部材又はシート状部材により形成された袋状体よりなり、収納空間に収納可能とされた標識本体と、収納空間に配設され、標識本体の内部に空気を入れる送風手段とを備えたものである。
【考案の効果】
【０００６】
本考案の道路標識によれば、収納体に、袋状体よりなり収納空間に収納可能とされた標識本体と、この標識本体の内部に空気を入れる送風手段とを備えるようにしたので、保管時及び持ち運び時には、標識本体を例えば折り畳んで収納体に収納し、設置時には、標識本体の内部に送風手段により空気を入れて大きくして用いることができる。よって、収納体に入れて持ち運び、送風手段により空気を入れるだけで簡単に設置することができる。また、空気を入れることにより標識本体を大きくすることができるので、運転者等に、安全に高い注意を促すことができる。
【０００７】
また、標識本体の内部に光を照射する照明器具を備えるようにすれば、トンネルや夜間であっても明るく表示することができ、運転者等により高い注意を促すことができる。
【０００８】
更に、人をかたどり標識本体を形成するようにすれば、運転者等の注意をより促すことができ、より高い効果を得ることができる。
【図面の簡単な説明】
【０００９】
【図１】本考案の一実施の形態に係る道路標識の構成を表す部分断面図である。
【考案を実施するための形態】
【００１０】
以下、本考案の実施の形態について、図面を参照して詳細に説明する。
【００１１】
図１は、本考案の一実施の形態に係る道路標識１０の構成を表すものである。この道路標識１０は、例えば、道路工事の際に道路に設置し、工事区間に向かって走行してくる車両に対して車線規制を行ったり、車線変更の誘導等を行うためのものである。この道路標識１０は、内部に収納空間１１Ａが設けられた収納体１１と、収納空間１１Ａに配設され、袋状体よりなる標識本体１２と、収納空間１１Ａに配設され、標識本体１２の内部に空気を入れる送風機などの送風手段１３とを備えている。
【００１２】
収納体１１は、例えば、アルミニウム製の箱状であり、着脱式又は開閉式の蓋（図示せず）が設けられていることが好ましい。持ち運び、及び、保管に便利だからである。
【００１３】
標識本体１２は、布状部材又はシート状部材により形成されており、例えば、折り畳むことにより収納空間１１Ａに収納可能とされている。また、送風手段１３により内部に空気が送られることにより、膨らんで大きくなり、形を形成するようになっている。標識本体１２を構成する材料としては、例えば、ポリステルなどの化学繊維よりなる布状部材や、ビニール等の合成樹脂製のシート状部材が好ましく挙げられる。布状部材の場合には、撥水加工がされていることが好ましい。
【００１４】
標識本体１２は、例えば、人をかたどり形成されていることが好ましく、表面には監視員に似せた絵が描かれていることが好ましい。運転者の注意をより促すことができるからである。標識本体１２には、例えば、前側にも後ろ側にも両方に顔が描かれている。
【００１５】
収納空間には、また、標識本体１２の内部に光を照射する照明器具１４が配設されていることが好ましい。標識本体１２を光が透過し、トンネルや夜間であっても明るく表示することができるからである。照明器具１４としては、投光器が好ましく、ＬＥＤ投光器であればより好ましい。
【００１６】
この道路標識１０は、例えば、次のようにして用いられる。保管時、及び、持ち運び時には、標識本体１２を収納体１１の内部に収納しておく。道路に設置する際には、設置場所に運び、標識本体１２の内部に送風手段１３により空気を送り、大きく膨らませて用いる。また、必要に応じて、照明器具１４により標識本体１２を照らす。撤去時には、送風手段１３を停止し、標識本体１２を小さく折り畳んで収納体１１に収納する。
【００１７】
このように本実施の形態によれば、収納体１１に、袋状体よりなり収納空間に収納可能とされた標識本体１２と、この標識本体１２の内部に空気を入れる送風手段１３とを備えるようにしたので、保管時及び持ち運び時には、標識本体１２を例えば折り畳んで収納体１１に収納し、設置時には、標識本体１２の内部に送風手段１３により空気を入れて大きくして用いることができる。よって、収納体１１に入れて持ち運び、送風手段１３により空気を入れるだけで簡単に設置することができる。また、空気を入れることにより標識本体１２を大きくすることができるので、運転者等に、安全に高い注意を促すことができる。
【００１８】
また、標識本体１２の内部に光を照射する照明器具１４を備えるようにすれば、トンネルや夜間であっても明るく表示することができ、運転者等により高い注意を促すことができる。
【００１９】
更に、人をかたどり標識本体１２を形成するようにすれば、運転者等の注意をより促すことができ、より高い効果を得ることができる。
【００２０】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２１】
１０…道路標識、１１…収納体、１１Ａ…収納空間、１２…標識本体、１３…送風手段、１４…照明器具
【図１】
0003212038.tif 000003